(57)【要約】【課題】設定時に電力不足が発生しないかどうかを確認可能にすることを目的とする。【解決手段】複数の撮像装置を含む監視システムであって、複数の撮像装置の撮像装置情報と複数の撮像装置に電力を供給する給電装置の給電装置情報とを管理する管理手段と、複数の撮像装置のうちの一の撮像装置に実行させる機能とスケジュールとを設定する設定手段と、管理手段により管理されている撮像装置情報と給電装置情報とに基づいて、設定手段によって設定されたスケジュールで撮像装置に機能を実行させることを許可するか否かを判定する判定手段と、判定手段により許可しないと判定された場合、許可しないことを通知する出力手段と、を有することによって課題を解決する。【選択図】図４
2015106367.tif 000002
【特許請求の範囲】
【請求項１】
複数の撮像装置を含む監視システムであって、
前記複数の撮像装置の撮像装置情報と前記複数の撮像装置に電力を供給する給電装置の給電装置情報とを管理する管理手段と、
前記複数の撮像装置のうちの一の撮像装置に実行させる機能とスケジュールとを設定する設定手段と、
前記管理手段により管理されている前記撮像装置情報と前記給電装置情報とに基づいて、前記設定手段によって設定されたスケジュールで前記撮像装置に前記機能を実行させることを許可するか否かを判定する判定手段と、
前記判定手段により許可しないと判定された場合、許可しないことを通知する出力手段と、
を有する監視システム。
【請求項２】
前記出力手段は、前記判定手段により許可すると判定された場合、前記一の撮像装置に対して前記スケジュールで前記機能を実行するよう設定する請求項１記載の監視システム。
【請求項３】
前記出力手段は、前記判定手段により許可しないと判定された場合、前記設定手段により設定されたスケジュールでは前記機能を実行することができない旨のメッセージを含む画面を表示することで、電力不足を通知する請求項１又は２記載の監視システム。
【請求項４】
前記出力手段は、前記判定手段により許可しないと判定された場合、前記設定手段により設定されたスケジュールでは前記機能を実行することができない旨のメッセージと共に、前記撮像装置情報と前記給電装置情報とに基づいて、前記複数の撮像装置において既に設定されている機能のうち、電力消費の最も多い機能から順に機能の情報を含む画面を表示することで、電力不足を通知する請求項１又は２記載の監視システム。
【請求項５】
前記監視システムには、画像表示装置が更に含まれ、
前記画像表示装置は、前記管理手段と、前記設定手段と、前記判定手段と、前記出力手段と、を有する請求項１乃至４何れか１項記載の監視システム。
【請求項６】
前記監視システムには、画像表示装置と、サーバ装置と、が更に含まれ、
前記画像表示装置は、前記設定手段と、前記出力手段と、を有し、
前記サーバ装置は、前記管理手段と、前記判定手段と、を有する請求項１乃至４何れか１項記載の監視システム。
【請求項７】
前記監視システムには、前記給電装置が更に含まれ、
前記給電装置は、新たな撮像装置が接続されると、前記給電装置の給電装置情報を前記管理手段に出力する給電装置情報出力手段を有し、
前記撮像装置は、前記給電装置に接続されると、前記撮像装置の撮像装置情報を前記管理手段に出力する撮像装置情報出力手段を有し、
前記管理手段は、前記給電装置情報と、前記撮像装置情報と、を更新する請求項１乃至６何れか１項記載の監視システム。
【請求項８】
複数の撮像装置の撮像装置情報と前記複数の撮像装置に電力を供給する給電装置の給電装置情報とを管理する管理手段と、
前記複数の撮像装置のうちの一の撮像装置に実行させる機能とスケジュールとを設定する設定手段と、
前記管理手段により管理されている前記撮像装置情報と前記給電装置情報とに基づいて、前記設定手段によって設定されたスケジュールで前記撮像装置に前記機能を実行させることを許可するか否かを判定する判定手段と、
前記判定手段により許可しないと判定された場合、許可しないことを通知する出力手段と、
を有する画像表示装置。
【請求項９】
複数の撮像装置を含む監視システムが実行する情報処理方法であって、
前記複数の撮像装置の撮像装置情報と前記複数の撮像装置に電力を供給する給電装置の給電装置情報とを管理する管理ステップと、
前記複数の撮像装置のうちの一の撮像装置に実行させる機能とスケジュールとを設定する設定ステップと、
前記管理ステップにより管理されている前記撮像装置情報と前記給電装置情報とに基づいて、前記設定ステップによって設定されたスケジュールで前記撮像装置に前記機能を実行させることを許可するか否かを判定する判定ステップと、
前記判定ステップにより許可しないと判定された場合、許可しないことを通知する出力ステップと、
を含む情報処理方法。
【請求項１０】
画像表示装置が実行する情報処理方法であって、
複数の撮像装置の撮像装置情報と前記複数の撮像装置に電力を供給する給電装置の給電装置情報とを管理する管理ステップと、
前記複数の撮像装置のうちの一の撮像装置に実行させる機能とスケジュールとを設定する設定ステップと、
前記管理ステップにより管理されている前記撮像装置情報と前記給電装置情報とに基づいて、前記設定ステップによって設定されたスケジュールで前記撮像装置に前記機能を実行させることを許可するか否かを判定する判定ステップと、
前記判定ステップにより許可しないと判定された場合、許可しないことを通知する出力ステップと、
を含む情報処理方法。
【請求項１１】
コンピュータに、
複数の撮像装置の撮像装置情報と前記複数の撮像装置に電力を供給する給電装置の給電装置情報とを管理する管理ステップと、
前記複数の撮像装置のうちの一の撮像装置に実行させる機能とスケジュールとを設定する設定ステップと、
前記管理ステップにより管理されている前記撮像装置情報と前記給電装置情報とに基づいて、前記設定ステップによって設定されたスケジュールで前記撮像装置に前記機能を実行させることを許可するか否かを判定する判定ステップと、
前記判定ステップにより許可しないと判定された場合、許可しないことを通知する出力ステップと、
を実行させるためのプログラム。
【発明の詳細な説明】
【技術分野】
【０００１】
本発明は、設定時に電力不足が発生しないかどうかを確認するのに好適な監視システム、画像表示装置、情報処理方法及びプログラムに関する。
【背景技術】
【０００２】
近年、ネットワークハブを通信用途だけでなく電力供給源として利用する、監視を目的とした撮像装置が存在する。この電力供給可能なハブはＰｏＥやＰｏＥ＋等の規格によって供給できる電力量等が規定されている。
通常、このような撮像装置は監視利用されることから複数台の配置が多く、また１台のＰｏＥハブに複数台の撮像装置が繋がれる場合が多い。
この際、撮像装置群が消費する総電力消費量が、ＰｏＥハブが供給できる総電力量を超えないようにするための様々な工夫が行われている。
例えば、特許文献１のように設定された電力を上回る電力が消費される機能が情報処理装置により実行されないように適切に制御する技術が知られている。また、特許文献２のようにＰｏＥに繋がった複数のネットワークカメラにおいて、あるカメラが消費電力の大きい機能を使用する場合、他のカメラの機能を低電力モードで動作させるかどうかをＰｏＥの給電量から判断する技術が知られている。
【先行技術文献】
【特許文献】
【０００３】
【特許文献１】特開２０１２−１１８８２０号公報
【特許文献２】特開２０１３−１０５３９４号公報
【発明の概要】
【発明が解決しようとする課題】
【０００４】
ところで、例えば１台のＰｏＥハブに複数台の撮像装置が繋がれ稼働している状態で新しい撮像装置が繋がれたとする。このときＰｏＥハブに接続されている撮像装置の総電力消費量がＰｏＥハブの供給電力以内ＰｏＥハブに接続されたカメラは電力が供給され初期状態で起動される。この際起動しなかった場合にはユーザーはすぐに起動しなかった原因を調査することができる。ここで、接続時に全ての撮像装置が起動している状態で特定の撮像装置にユーザーが夜間の監視用に巡回機能や照明機能を設定したとする。この設定された機能が夜間に機能すると、パンチルト駆動や照明点灯によって通常接続されている際に消費される電力よりも多くの電力が消費される。これによって、ＰｏＥハブが供給可能な電力量を撮像装置群が消費する電力量が超えてしまうことでシステムが正常に動作しなくなってしまうという問題がある。
この問題に対して、特許文献１の技術では利用しようとしている機能がブロックされてしまうため、監視のために必要な機能が動かなくなってしまう場合が考えられる。また、特許文献２の技術では、他の機能を低電力モードにしたことによって、従来の目的にそぐわない設定での監視が行われてしまいユーザーにとって不本意な監視映像が記録されてしまうことが考えられる。このような課題は、ＰｏＥハブを電力供給源とする場合に限らず生じる。
【０００５】
本発明は、ユーザーが望む通りにスケジュールの設定が可能かどうかを確認可能にすることを目的とする。
【課題を解決するための手段】
【０００６】
そこで、本発明は、複数の撮像装置を含む監視システムであって、前記複数の撮像装置の撮像装置情報と前記複数の撮像装置に電力を供給する給電装置の給電装置情報とを管理する管理手段と、前記複数の撮像装置のうちの一の撮像装置に実行させる機能とスケジュールとを設定する設定手段と、前記管理手段により管理されている前記撮像装置情報と前記給電装置情報とに基づいて、前記設定手段によって設定されたスケジュールで前記撮像装置に前記機能を実行させることを許可するか否かを判定する判定手段と、前記判定手段により許可しないと判定された場合、許可しないことを通知する出力手段と、を有する。
【発明の効果】
【０００７】
本発明によれば、ユーザーが望む通りにスケジュールの設定が可能かどうかを給電装置の給電装置情報に基づいて確認可能にすることができる。
【図面の簡単な説明】
【０００８】
【図１】監視システムのシステム構成及びシステムを構成する各装置のハードウェア構成等の一例を示す図（その１）である。
【図２】監視システムのシステム構成及びシステムを構成する各装置のハードウェア構成等の一例を示す図（その２）である。
【図３】撮像装置が監視システムに追加された際の情報処理の一例を示すフローチャートである。
【図４】撮像装置の機能設定の可否を通知する情報処理の一例を示すフローチャートである。
【図５】機能設定の可否を通知の一例を示す図（その１）である。
【図６】機能設定の可否を通知の一例を示す図（その２）である。
【発明を実施するための形態】
【０００９】
以下、本発明の実施形態について図面に基づいて説明する。
【００１０】
＜実施形態１＞
図１は、監視システムのシステム構成及びシステムを構成する各装置のハードウェア構成等の一例を示す図である。
監視システムは、撮像装置群１１０、ＰｏＥハブ１２０、画像表示装置１３０を含む。
撮像装置群１１０は複数の撮像装置で構成される。各撮像装置は、画像入力回路１１１と撮像装置情報出力回路１１２とを含む。
画像入力回路１１１は、画像信号をＰｏＥハブ１２０に送信する。このとき、画像入力回路１１１から入力される画像信号は、撮像装置がリアルタイムに撮影している画像信号、又は蓄積された画像信号が用いられる。また、入力される画像信号とは、静止画像でも動画像でもよい。
撮像装置情報出力回路１１２は、特定の条件下で撮像装置の情報をＰｏＥハブ１２０に送信する。特定の条件とは、例えば、撮像装置がハブに接続されたときやサーバ、ハブ等から情報の要求信号が来た場合等である。ここで送信される撮像装置情報とは撮像装置に関する情報であり、例えば撮像装置の機種、機能、機能ごとの消費電力、機能を実行するスケジュール等である。
【００１１】
ＰｏＥハブ１２０は、ハブ情報出力回路１２１とハブ機能回路１２２とを含む。
ハブ情報出力回路１２１は、ハブの情報を特定の条件下でサーバ、撮像装置等に送信する。特定の条件とは、例えば、外部装置の接続信号を受信したときやサーバ、撮像装置等から情報の要求信号が来た場合等である。またハブ情報とは、例えば、ハブに接続されている撮像装置の台数や、ハブの給電能力である。ハブ情報は、給電装置情報の一例である。
ハブ機能回路１２２は、通信ネットワーク上で動作するハブとしての基本的な機能であり、例えばパケットを受信する、パケットを送信する等の機能を有する。
【００１２】
画像表示装置１３０は、情報共有回路１３１と機能設定回路１３２と判断回路１３３と判定結果出力回路１３４とを含む。
情報共有回路１３１は、接続されている機器と情報の共有し、管理するための回路である。情報を共有するタイミングは、例えば、情報共有回路１３１を有する機器に対して共有要求が来たときやある一定の時間で定期的に共有を行うといったタイミングがある。また、共有される情報は、例えば、前述の撮像装置情報やハブ情報の他に情報共有回路１３１を有する機器の名称等の情報である。更に共有する対象としては、例えば、接続されている撮像装置やサーバに通知する、又は画像表示装置１３０内だけで情報を保持する、等である。
機能設定回路１３２は、ユーザーが撮像装置群１１０に対して機能を設定するための回路である。設定項目としては、撮像装置の機能、機能の実行スケジュールがある。ここで設定できる撮像装置の機能としては、例えば、照明点灯、パン駆動、チルト駆動がある。また機能の実行スケジュールとは、例えば、機能の開始時間、機能の終了時間、機能を実行する時間間隔がある。
【００１３】
判断回路１３３は、機能設定回路１３２を通してユーザーが撮像装置に設定しようとしている機能が設定可能かどうかの是非（機器使用可否）を、情報共有回路１３１を通して得られた各情報から判断する。即ち、判断回路１３３は、機能設定回路１３２によって設定されたスケジュールで撮像装置群１１０に機能を実行させることを許可するか否かを判定する。ここで是非を判断する条件としては、例えば、特定の時間に機能を実行する設定をする際に電力不足を招くことがないかといった条件がある。判断回路１３３は、この判定を、情報共有回路１３１により管理されている撮像装置情報とハブ情報とに基づいて行う。撮像装置情報は機能ごとの消費電力等である。また、ハブ情報は、給電装置であるＰｏＥハブ１２０の給電能力等を示す給電装置情報である。
判定結果出力回路１３４は、判断回路１３３によって判断された結果をユーザーに通知する。即ち、判定結果出力回路１３４は、判断回路１３３により許可しないと判定された場合、許可しないことを通知する。通知する手段としては、例えば、画面表示、音、光がある。
監視システムは以上の装置、回路によって構成されるが、ここで画像表示装置１３０を構成する回路群の内、情報共有回路１３１、判断回路１３３は、撮像装置群１１０又はＰｏＥハブ１２０にあってもよい。
また、監視システムを構成する要素として、図１の構成に対して図２のようにサーバ２１０が接続されていてもよい。この場合、例えば情報共有回路１３１や判断回路１３３は、サーバ２１０の構成要素となる。
【００１４】
次に監視システムにおける情報処理の一例を図３と図４とのフローチャートに示す。以降の各手順の説明ではまず図３のフローチャートを用いて説明し、その後、図４を用いて説明する。
まず撮像装置が監視システムに追加された際の動作を、図３を用いて説明する。
ステップＳ３１０において、監視システムに撮像装置が追加される。例えば、ＰｏＥハブ１２０は、新たな撮像装置の追加を検知する。
ステップＳ３２０において、ＰｏＥハブ１２０のハブ情報出力回路１２１から情報共有回路１３１にハブ情報が出力される（給電装置情報出力）。この情報を通知する手段としては、例えば、ＬＬＤＰのようなプロトコルを利用した通知がある。
ステップＳ３３０において、ＰｏＥハブ１２０に接続された撮像装置の撮像装置情報出力回路１１２から情報共有回路１３１に撮像装置情報が出力される（撮像装置情報出力）。ここで、ステップＳ３２０とステップＳ３３０との処理は実行順番が逆、又は同時に行われてもよい。
ステップＳ３４０において、情報共有回路１３１は、ハブ情報と撮像装置情報とを取得後、取得した情報を基に情報の更新を行う。
【００１５】
以上の手順によって、接続された撮像装置と監視システムを構成していた撮像装置群１１０及びＰｏＥハブ１２０との情報が情報共有回路１３１を通じて共有される。また接続時に共有が行えない場合には、例えば機能設定回路１３２をユーザーが利用した場合に、監視システム、同時に共有を行うようにしてもよい。更にどのタイミングにおいても情報共有が行えなかった場合、監視システムは、共有ができなかったことを、例えば、ユーザーに通知するようにしてもよい。
【００１６】
次に、図４のフローチャートを用いてユーザーの操作に対する撮像装置の機能設定の可否を通知する情報処理について説明する。
ステップＳ４１０において、機能設定回路１３２は、ユーザーによる設定操作等に基づいて、ユーザーが機能を設定する撮像装置に実行させたい機能と実行時間との設定情報を取得する。設定操作としては、例えば、マウスとキーボードとを用いた設定操作やタッチパネル画面に表示される機能設定画面のボタンを触れる設定操作等がある。
ステップＳ４２０において、判断回路１３３は、情報共有回路１３１の情報を参照する。ここで情報共有回路１３１が有している撮像装置情報やハブ情報は最新のものが望ましい。判断回路１３３は、ハブ情報及び撮像装置情報とユーザーが設定しようとしている機能及びその機能の実行スケジュールとを基に特定の時刻又は日時にＰｏＥハブ１２０の給電能力を上回るような電力を撮像装置群１１０が消費しないか否かを判断する。即ち、判断回路１３３は、機能設定回路１３２によって設定されたスケジュールで撮像装置群１１０に機能を実行させることを許可するか否かを判定する。判断回路１３３は、この判定を、情報共有回路１３１により管理されている撮像装置情報とハブ情報とに基づいて行う。撮像装置情報は機能ごとの消費電力等である。また、ハブ情報は、給電装置であるＰｏＥハブ１２０の給電能力等を示す給電装置情報である。
判断回路１３３は、判断結果により、電力不足になることがないと判定した場合には、処理をステップＳ４５０に進める。一方、判断回路１３３は、電力不足になることがある（特定の時刻、又は日時で撮像装置群１１０の消費する電力がＰｏＥハブ１２０の給電する電力を上回ることがある）と判定した場合には、処理をステップＳ４４０に進める。
ステップＳ４５０において、機能設定回路１３２は、ユーザーが選択した新規スケジュール情報に基づいて撮像装置に機能と実行スケジュールとを設定する。
【００１７】
ステップＳ４４０において、判定結果出力回路１３４は、ユーザーに電力不足に関する通知を行う。即ち、判定結果出力回路１３４は、判断回路１３３により許可しないと判定された場合、許可しないことを通知する。
この処理を、図５を用いて説明する。図５は、ユーザーが機能設定回路１３２を用いて撮像装置に機能と実行スケジュールとを設定している画面の様子を示す図である。
まず設定前、画面５１０には撮像装置に設定できる機能５１１と、その機能をいつ実行するか入力できる時刻入力欄５１２と、がある。ここで、ユーザーは、各入力項目を入力し、設定ボタン５１３を押下する。
すると、判断回路１３３は、撮像情報とハブ情報とを基に、設定されようとしている機能と実行スケジュールとを、設定できるかの判断を行う。ここで設定できないと判断された場合、判定結果出力回路１３４は、設定否決画面５２０を表示する。本実施形態の表示では、ユーザーが設定しようとした新規のスケジュール情報が設定できなかった趣旨のメッセージ５２１が表示され、ユーザーに設定の見直しを促している。
ここで通知方法はこれには限らない。例えば図６のように既に撮像装置に設定されている機能を表示し、止めてもよい機能を選択させるメッセージ６１０を通知する方法等がある。メッセージ６１０の例では、止めてもよい機能として、電力消費の最も機能から順に表示されている。また、例えば画面全体の色を変更する、警告音を出す、音声でガイダンスを流す等の通知がある。また、判定結果出力回路１３４は、例えば照明設定と巡回動作とが設定されている際に、巡回動作中の照明の点灯時間と消費電力とから監視する上で支障が出ないように照明を消す時間を設定できる設定画面をユーザーに通知するようにしてもよい。
【００１８】
監視システムにおいて、設定する機能がシステム全体の使用電力量とＰｏＥハブの給電能力とを鑑みた際に使用可能かを通知することで、監視システムが電力問題で停止することなく稼働し、ユーザーの利便性が向上する。
【００１９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２０】
つまり、上述した実施形態１では、回路として示した部分は、ソフトウェア構成として各装置等に実装されてもよい。即ち、各装置は、ＣＰＵやメモリを有し、ＣＰＵがメモリに記憶されているプログラムを実行することによって、ソフトウェア構成を実現してもよい。この構成の場合、ＣＰＵやプログラムを実行することによって、フローチャートの処理が実現される。
【００２１】
以上、上述した各実施形態によれば、設定時に電力不足が発生しないかどうかが確認できるため、電力不足による監視機能の停止を未然に防ぐことができ、ユーザーの利便性が向上する。
また、２４時間３６５日監視を行う撮像装置群に対して、特定の時刻に特定の機能を実行させる際に電力問題で機能停止に陥るような状況を回避する手段として有効である。
【００２２】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２３】
１１０  撮像装置群、１２０  ＰｏＥハブ、１３０  画像表示装置
【図１】
2015106367.tif 000003
【図２】
2015106367.tif 000004
【図３】
2015106367.tif 000005
【図４】
2015106367.tif 000006
【図５】
2015106367.tif 000007
【図６】
2015106367.tif 000008